(57)【特許請求の範囲】
【請求項１】
吐風口、風洞、及び吸込口を有するハウジングの内部にファン、モータ、及びヒータ部を備えた本体に把手であるハンドルを設け、電源供給用のコードの接続部にコード保護部材であるブッシングを設けたヘアードライヤであって、ブッシングのコード長さ方向の先端部にコードに被着する被着片をコードの長さ方向に複数形成し、各被着片にスリットを形成し、一方の被着片のスリットと他方の被着片のスリットのコードの長さ方向に投影する位置を不一致として成ることを特徴とするヘアードライヤ。
【請求項２】
コードに対するブッシングの屈曲支点部の硬度を他の箇所に比べて高めて成ることを特徴とする請求項１記載のヘアードライヤ。
【請求項３】
ブッシングの本体側の内径を段差を形成して他の箇所に比べて小さくして成ることを特徴とする請求項１記載のヘアードライヤ。
【発明の詳細な説明】
【０００１】
【発明の属する技術分野】
本発明は、ヘアードライヤに関し、詳しくは、電源供給用のコードの保護部材であるブッシングによって、コード断線時に発生するスパークの突出を防止する技術に係わるものである。
【０００２】
【従来の技術】
図７に示すように、従来のヘアードライヤＡは円筒状のハウジング３の先端部には吐風口１を後端部には吸込口２を形成してあり、このような本体２５の下部には把手となるハンドル４を設けている。ハウジング３の内部には、モータ５とファン６、更に、モータ５の保持と整流のための整流翼７から構成した送風装置８と、その下流側にヒータ部９を設けている。ハンドル４にはオンオフのためのスイッチ１０を設けてあり、更に、下部には電源供給用のコード１１を取り付けている。コード１１の接続部にはコード１１の保護部材であるブッシング１２を設置している。
【０００３】
図８に示すように、上述の従来のヘアードライヤＡを使用中、コード１１に屈曲等の負荷がかかることによって断線Ｂが生じた時、筒状となっているブッシング１２によって直接的なスパークＣは確実に防御されて突出することはないが、筒状のブッシング１２はコード１１の長さ方向の端部が開放されているために、この開放口２６より極めて低い確率で間接的なスパークＤが突出してしまい、火傷等の危険な現象を生じてしまうものである。
【０００４】
ところで、従来のヘアードライヤＡにおいては、ブッシング１２の端部を開放させることによって、コード１１を保護しながらコード断線時に直接的なスパークの突出を防止し、かつ、ブッシング１２の内部の発熱による内圧増加を低減してスパーク発生時のエネルギーを低下させる形態がとられている。
【０００５】
【発明が解決しようとする課題】
このように、従来においては、筒状のブッシング１２の端部が開放されているため、直接的なスパークＣの突出は防げても、間接的なスパークＤが極めて低い確率でプッシング１２の開放口２６から突出してしまい、火傷等の危険な現象を生じてしまうという問題があった。
【０００６】
本発明はこのような問題を解決しようとするものであり、ブッシングの構成によって直接的なスパークの突出はもちろん間接的なスパークの突出も確実に防止することができ、コード断線時でも火傷等の危険な状況を生じさせず、それでいて、内部の発熱による内圧の増加を低減することができるヘアードライヤを提供することを課題とするものである。
【０００７】
【課題を解決するための手段】
請求項１においては、吐風口１、風洞、及び吸込口２を有するハウジング３の内部にファン６、モータ５、及びヒータ部９を備えた本体２５に把手であるハンドル４を設け、電源供給用のコード１１の接続部にコード保護部材であるブッシング１２を設けたヘアードライヤであって、ブッシング１２のコード長さ方向の先端部にコード１１に被着する被着片１３をコード１１の長さ方向に複数形成し、各被着片１３にスリット１４を形成し、一方の被着片１３のスリット１４と他方の被着片１３’のスリット１４’のコード１１の長さ方向に投影する位置を不一致としていることを特徴とするものである。このような構成によれば、コード１１がブッシング１２の内部で断線した時に、被着片１３が防御壁となりブッシング１２の外部へのスパークの突出を防ぐことができ、火傷等の危険な状況を防止する。
【０００８】
更に、請求項１においては、被着片１３にスリット１４を形成していることを特徴とするものである。このような構成によれば、被着片１３にスリット１４を設けることによって、被着片１３の硬度を低下させることができ、ヘアードライヤを使用している時にコード１１がブッシング１２の内方において屈曲されるのであり、コード１１の屈曲支点部Ｅを本体２５側に移動させることができ、ブッシング１２の先端となる被着片１３側でのコード１１の断線がなくなり、スパークがブッシング１２から突出するのを防止する安全性を、一層、向上させることができる。
【０００９】
更に、請求項１においては、被着片１３をコード１１の長さ方向に複数形成し、各被着片１３にスリット１４を形成し、一方の被着片１３のスリット１４と他方の被着片１３’のスリット１４’のコード１１の長さ方向に投影する位置を不一致としていることを特徴とするものである。このような構成によれば、複数の被着片１３、１３’の各スリット１４、１４’をコード１１の長さ方向に投影する位置を不一致とすることで、コード１１の断線が生じスパークが発生してもスパークは複数の被着片１３、１３’によって確実に防御することができ、複数のスリット１４、１４’を通り抜けることがなく、一層、安全性が向上する。しかも、スリット１４、１４’を投影的に不一致とすることで、スリット１４の幅を大きくすることができ、コード１１に対する被着片１３、１３’の開口面積を増加させることができることから、ブッシング１２の内部の発熱による内圧増加を低減することができ、スパーク発生時のエネルギーを低下させることがきる。
【００１０】
請求項２においては、コード１１に対するブッシング１２の屈曲支点部Ｅの硬度を他の箇所に比べて高めていることを特徴とするものである。このような構成によれば、ブッシング１２の屈曲支点部Ｅの硬度を他の箇所よりも高めることで、コード１１ヘの屈曲支点部（作用点）Ｅが本体２５側となって、ブッシング１２の内部の指定箇所においてコード１１の断線を導くことができ、コード１１の断線箇所のバラツキを低減することができ、一層、安全性を向上させることができる。
【００１１】
請求項３においては、ブッシング１２の本体２５側の内径を段差を形成して他の箇所に比べて小さくしていることを特徴とするものである。このような構成によれば、ブッシング１２の本体２５側の内径を段差を形成して他の箇所に比べて小さくすることで、ヘアードライヤを使用する時、コード１１の屈曲支点部Ｅをブッシング１２の内径変化部２４（段差）に発生させることができ、ブッシング内部の指定箇所でコード１１の断線を導くことができ、コードの断線箇所のバラツキを低減でき、一層、安全性を向上させることができる。
【００１２】
【発明の実施の形態】
以下、本発明の実施の形態を図面に基づいて説明する。本発明のヘアードライヤの全体構成は図７において詳述した従来のヘアードライヤＡと同じであるので、全体構成の説明は省略し、本発明に係る構成を詳述する。
【００１３】
図１に示すように、ブッシング１２は筒状となって中空形状となり、基端側の凹溝１５に割型となったハンドル４側の凸部１６を挿入してハンドル４にブッシング１２を取付けている。ブッシング１２の内部にコード１１を挿通してハンドル４の近傍においてコード１１が曲げられるのを防止している。コード１１の長さ方向の先端部（先端よりやや内方に入った箇所）の内面にコード１１の外周面に至る被着片１３を設けている。
【００１４】
このような構成によれば、ハンドル４の近傍でブッシング１２内部においてコード１１に断線Ｂが生じた時、直接的なスパークＣはブッシング１２で防御することはもちろんのこと間接的なスパークＤに対しても、被着片１３が防御壁となりブッシング１２外部へのスパークの突出を防ぎ火傷等の危険な状況がなくなるのである。
【００１５】
図２は詳細な実施の形態を示し、但し、本実施の形態の基本構成は上記実施の形態と共通であり、共通する部分には同一の符号を付して説明は省略する。
【００１６】
本実施の形態においては、被着片１３に周方向に間隔を隔ててスリット１４を設けている。
【００１７】
本実施の形態においては、スリット１４…によって被着片１３の硬度を低下させるのであり、図３に示すように、ヘアードライヤを使用している時にコード１１の屈曲支点Ｅを被着片１３より本体２５側へ発生させることができるため、被着片１３側でのコード１１の断線がなくなり、コード１１の断線位置をブッシング１２内部に設定することができ、スパークの突出防止に対する安全性が向上するものとなる。
【００１８】
図４は更に詳細な実施の形態を示し、但し、本実施の形態の基本構成は上記実施の形態と共通であり、共通する部分には同一の符号を付して説明は省略する。
【００１９】
本実施の形態においては、コード１１の長さ方向に間隔を隔てて２段の被着片１３、１３’を設け、被着片１３のスリット１４と被着片１３’のスリット１４’を投影的に不一致とするものである。
【００２０】
このような構成とすることで、コード１１の断線Ｂが生じスパークが発生してもスパークは２段の被着片１３，１３’によって確実に防御されるのであり、スリット１４’を通り抜けることがなく、一層、安全性が向上するものとなる。又、スリット１４、１４’を投影的に不一致とさせることで、個々のスリット１４、１４’の幅を大きくすることができて被着片１３、１３’の開口（スリット）面積を増加させることができるため、ブッシング１２内の発熱による内圧増加を低減でき、スパーク発生時のエネルギーを低下することがきる。
【００２１】
図５は他の実施の形態を示し、但し、本実施の形態の基本構成は上記実施の形態と共通であり、共通する部分には同一の符号を付して説明は省略する。
【００２２】
本実施の形態においては、ブッシング１２の基端部に円筒状のリング２０をハンドル４側に取付けてハンドル４の握り安定性及びブッシング１２の保護を図る形態において、ブッシング１２のリング２０に当接する屈曲部２１の硬度を他の箇所に比べて高めたものである。
【００２３】
通常、コード１１の屈曲支点部Ｅがコード１１の作用点Ｆとなって作用点Ｆでコード１１は断線Ｂを生じる。屈曲部２１の硬度を高めることでコード１１への作用点Ｆは本体２５側へ移行し作用点Ｆ’となる。屈曲部２１の硬度は指定断線箇所でコード１１が断線するよう調整する。
【００２４】
このような構成によれば、ブッシング１２の内部の指定箇所でコード断線Ｂ’を確実に生じさせることができてコード断線箇所のバラツキが極めて少なくなり、一層、安全性が向上するものとなる。
【００２５】
図６は更に他の実施の形態を示し、但し、本実施の形態の基本構成は上記実施の形態と共通であり、共通する部分には同一の符号を付して説明は省略する。
【００２６】
本実施の形態においては、ブッシング１２において、本体２５側のブッシング１２の内径を段差（内径変化部２４）を形成して他の箇所に比べて小さくしたものである。ここで小内径部２２は大内径部２３より硬度を高く設定する。本実施の形態では肉厚の増加で硬度を高くしている。
【００２７】
このような構成とすることで、ヘアードライヤの使用時に、コード１１の屈曲支点Ｅをブッシング１２の内径変化部（段差）２４に発生させることができ、確実にブッシング１２の内部の指定箇所（内径変化部２４）でコード１１の断線Ｂを生じさせることができるため、コード１１の断線箇所のバラツキが極めて少なくなり、一層、安全性が向上するものとなる。
【００２８】
【発明の効果】
請求項１においては、吐風口、風洞、及び吸込口を有するハウジングの内部にファン、モータ、及びヒータ部を備えた本体に把手であるハンドルを設け、電源供給用のコードの接続部にコード保護部材であるブッシングを設けたヘアードライヤであって、ブッシングのコード長さ方向の先端部にコードに被着する被着片をコードの長さ方向に複数形成し、各被着片にスリットを形成し、一方の被着片のスリットと他方の被着片のスリットのコードの長さ方向に投影する位置を不一致としているから、コードがブッシングの内部で断線した時に、被着片が防御壁となりブッシングの外部へのスパークの突出を防ぐことができ、火傷等の危険な状況を防止することができるという利点がある。
【００２９】
更に、請求項１においては、被着片にスリットを形成しているから、被着片の硬度を低下させることができ、ヘアードライヤを使用している時にコードがブッシングの内方において屈曲されるのであり、コードの屈曲支点を本体側に移動させることができ、ブッシングの先端となる被着片側でのコードの断線がなくなり、スパークがブッシングから突出するのを防止する安全性を、一層、向上させることができるという利点がある。
【００３０】
更に、請求項１においては、被着片をコードの長さ方向に複数形成し、各被着片にスリットを形成し、一方の被着片のスリットと他方の被着片のスリットのコードの長さ方向に投影する位置を不一致としているから、コードの断線が生じスパークが発生してもスパークは複数の被着片によって確実に防御することができ、複数のスリットを通り抜けることがなく、一層、安全性が向上するという利点がある。しかも、スリットを投影的に不一致とすることで、スリットの幅を大きくすることができ、コードに対する被着片の開口面積を増加させることができることから、ブッシングの内部の発熱による内圧増加を低減することができ、スパーク発生時のエネルギーを低下することがきるという利点がある。
【００３１】
請求項２においては、コードに対するブッシングの屈曲支点部の硬度を他の箇所に比べて高めているから、コードヘの屈曲支点部（作用点）が本体側となって、ブッシングの内部の指定箇所においてコードの断線を導くことができ、コードの断線箇所のバラツキを低減することができ、一層、安全性を向上させることができるという利点がある。
【００３２】
請求項３においては、ブッシングの本体側の内径を段差を形成して他の箇所に比べて小さくしているから、ヘアードライヤを使用する時、コードの屈曲支点部をブッシングの内径変化部に発生させることができ、ブッシング内部の指定箇所でコードの断線を導くことができ、コードの断線箇所のバラツキを低減でき、一層、安全性を向上させることができるという利点がある。
【図面の簡単な説明】
【図１】本発明の実施の一形態を示し、（ａ）は要部の断面図、（ｂ）は底面図である。
【図２】  （ａ）は同上の詳細な実施の形態の断面図、（ｂ）は底面図である。
【図３】同上の動作を示す断面図である。
【図４】  同上の更に詳細な実施の形態を示し、（ａ）は断面図、（ｂ）は底面図である。
【図５】  同上の他の実施の形態の断面図である。
【図６】同上の更に他の実施の形態の断面図である。
【図７】従来例の断面図である。
【図８】同上の要部の断面図である。
【符号の説明】
１    吐風口
２    吸込口
３    ハウジング
４    ハンドル
５    モータ
６    ファン
９    ヒータ部
１２  ブッシング
１３  被着片
【図１】
0003867520.tif 000002
【図２】
0003867520.tif 000003
【図３】
0003867520.tif 000004
【図４】
0003867520.tif 000005
【図５】
0003867520.tif 000006
【図６】
0003867520.tif 000007
【図７】
0003867520.tif 000008
【図８】
0003867520.tif 000009